Podtech/llm-jp-corpus-v4-ja_patent huggingface dataset:
(57)【要約】【課題】フリーサイズでコンパクトに収納できる本のページ押さえを提供する。【解決手段】伸縮する棒にて左右の土台となる棒を連結し、左右の土台となる棒の上部に軸となる丸棒をたて、棒の端に穴を設けたページを押さえる押さえ棒を、左右の軸となる丸棒に穴を差し込んで回転するようしたことを特徴とする、フリーサイズの本のページ押さえ。【選択図】  図２
2006327167.tif 000002
【特許請求の範囲】
【請求項１】
伸縮する棒にて左右の土台となる棒を連結し、左右の土台となる棒の上部に軸となる丸棒をたて、棒の端に穴を設けたページを押さえる押さえ棒を、左右の軸となる丸棒に穴を差し込んで回転するようしたことを特徴とする、フリーサイズの本のページ押さえ。
【発明の詳細な説明】
【技術分野】
【０００１】  本発明は、本のページを開いたときにページがめくれてしまわないように押えるためのフリーサイズの本のページ押さえに関するものである。
【背景技術】
【０００２】  従来、本のページ押さえは、開いたページをしっかり安定して留められるものは、サイズが決まってしまうため大きくて、保管や収納がかさばってしまい扱いにくかった。また、バネのついた金の棒で、本全体、２ページ分を押さえるためページがめくりにくかった。
サイズの小さいものだと、本を傷つけてしまったり、ページがめくりにくかったり、安定して留まらないという問題があった。本発明はこれらの問題点を解決するためになされたものである。
【発明の開示】
【発明が解決しようとする課題】
【０００３】  そのために、次のような問題点があった。
大きい本から小さい本までフリーサイズで使え、ページめくりが簡単で、本を傷めずに使用できて、コンパクトに収納、携帯できているものがなかった。
【課題を解決するための手段】
【０００４】  伸縮する棒にて左右の土台となる棒を連結し、左右の土台となる棒の上部に軸となる丸棒をたて、棒の端に穴を設けたページを押さえる押さえ棒を、左右の軸となる丸棒に穴を差し込んで回転するようした。
【発明の効果】
【０００５】  このようにすれば、収納はコンパクトで、かさばらないため収まりがよく、フリーサイズになり、小型で軽量、またページをめくるのも用意で、読みたい文字を邪魔せず、本を傷めずに本のページを押さえることができる。
【発明の実施をするための最良の形態】
【０００６】以下、本発明の実施の形態について説明する。
（イ）土台棒（１）の間を、伸縮棒（２）にて連結する。
（ロ）土台棒（１）に差込穴（４）を設けそこに軸丸棒（３）を立てる。
（ハ）透明棒（５）の端に穴を設ける。透明棒（５）の端の穴（６）の大きさは、軸丸棒（３）に通したときに、回転するようにする。
（ニ）透明棒（５）の端の穴（６）を、軸丸棒（３）に通す。
本発明は以上のような構成よりなっている。
本発明を使用するときは、土台棒（１）に軸丸棒（３）を立て、伸縮棒（２）の長さを本を見開いた幅に合わせて伸ばす。軸丸棒（３）に透明棒（５）を取り付ける。軸丸棒（３）の間で、透明棒（５）と伸縮棒（２）の間に本を開いてのせ、透明棒（５）をちょうどいいところまで下げてページがめくれないように押える。ページをめくるときは、透明棒（５）を本の外側に回転移動させる。また、ゆるく押さえている場合はそのままめくることもできる。収納するときは全てはずし、伸縮棒（２）を縮めれば、コンパクトになり収まりよくなる。
尚、図４に示すように、軸丸棒（３）と土台棒（１）をチョウツガイで留めると、収納時に透明棒を通したまま内側に折りたためる、という方法もある。この方法ではばらばらにしないまま折りたたむだけで収納できる。
また、透明棒（５）の部分を細い棒や軸バネ（８）にしてもよい。軸バネ（８）を利用するとページをめくる時、軸バネ（８）を持ち上げるだけで簡単にページをめくれる。
【図面の簡単な説明】
【０００７】
【図１】  本発明の分解斜視図
【図２】  本発明の斜視図
【図３】  本発明の使用状態
【図４】  本発明の実施例を示す斜視図
【符号の説明】
【０００８】  １  土台棒
２  伸縮棒
３  軸丸棒
４  差込穴
５  透明棒
６  穴
７  チョウツガイ
８  軸バネ
【図１】
2006327167.tif 000003
【図２】
2006327167.tif 000004
【図３】
2006327167.tif 000005
【図４】
2006327167.tif 000006
(57)【要約】      （修正有）【課題】  従来の画鋲に比べ抜け落ちる危険性が減少し且同じ針穴の使用が可能となり新たに壁面を傷つけることもなく、固定する力も変わらない。又、物を吊るすことも可能な画鋲を提供する。【解決手段】  画鋲の針１の部分に突起２を設け、画鋲を刺し込んだ後突起２を回転させることで壁などの中に突起２を埋め込むことにより画鋲を固定できるようにする。また、柄３，４，５の形状を物を吊るすのに適すると共に、床などに散乱した場合に針１が上向きにならないような形状とする。【選択図】図１
2006327169.tif 000002
【特許請求の範囲】
【請求項１】
針の部分に突起を設けることにより摩擦力に頼らずに固定できる画鋲。
【請求項２】
画鋲の固定には針を９０°回転させるため、柄の部分を９０°に加工すると共に、柄に物を吊るすのに適した形状とした画鋲。
【請求項３】
柄の上面を曲面とし、床などに散乱した場合に針が上向きにならないようにした画鋲。
【発明の詳細な説明】
【技術分野】
【０００１】  本発明は、画鋲の針の部分に突起を設けることにより画鋲が抜けにくくなるようにしたものである。
【背景技術】
【０００２】  従来の画鋲は、針の周囲の摩擦力により固定されるものであり、あまり大きな荷重には不向きな面があった。又、時間の経過とともに針の周囲の部分が塑性変形し摩擦力が小さくなって自然に抜け落ちるようなこともある。この場合一度抜けた部分に再度針を刺しても有効な機能を果たさなくなってしまうため別の場所に針を刺すこととなり壁などを傷めることとなってしまう。また、抜け落ちた画鋲が針を上にして床などに散乱すると危険である。
【発明の開示】
【発明が解決しようとする課題】
【０００３】  従来の画鋲は針の部分の摩擦力により固定される仕組みであり、固定力も小さく、また時間の経過により針周辺部が塑性変形し、摩擦力が低下して自然に抜け落ちたりすることがあった。この場合再度同じ針穴に画鋲を挿しても有効な摩擦力が得られず固定することは困難であった。また、その仕組みから物を吊るすような使用方法には適さないものであった。当発明は、従来の画鋲のこのような仕組みを改善し且使用の範囲を広げることを課題とする。
【課題を解決するための手段】
【０００４】  この課題を解決するための請求項１の発明は、針に突起を設け壁面に画鋲を刺し込んだ後９０°回転して固定するものである。【０００５】  また、請求項２の発明は、画鋲を９０°回転して固定した後に取外す場合に針につけた突起の向きがわかるようにし、取り外す時に壁などを傷つけないようにするものである。
これにより、繰り返し同じ針穴を使用できることとなる。又、画鋲の抜けにくさを利用して物を吊るす場合のかかりとして利用できるものである。【０００６】  請求項３の発明は、柄の上面を曲面にし画鋲が床などに散乱した場合、針が上に向くのを防止するためのものである。
【発明の効果】
【０００７】  本発明により、従来の画鋲に比べ抜け落ちる危険性が減少し且同じ針穴の使用が可能となり新たに壁面を傷つけることもなく、固定する力も変わらない。又、従来の画鋲はポスター等を押さえることを目的としたが当発明による画鋲は物を吊るすことも可能である。
【発明を実施するための最良の形態】
【０００８】  図１は、本部品の側面図である。同図に示すように針の部分に突起を設ける。この突起は、図２に示すように針の相対する側に設けるとともに上下の突起の位置は鉛直線上に配置する。【０００９】  針の上部は柄の中に十分挿入し、再度の使用及び取付け取外しの時に柄から針が抜けたり、柄だけが回転しないようにする。【００１０】  針の材料は、耐久性及び強度を考慮しステンレスなどの対腐食性の材質とする。【００１１】  柄の材料は、加工性のよいプラスチックでよい。【００１２】  画鋲を取り付ける場合は取付け位置に針を刺し込んだ後、針を中心に柄を９０°回転させて固定するものとする。【００１３】  画鋲を取り外す場合は、針を中心に柄を逆に９０°回転させて刺し込んだ位置で引き抜くものとする。
【産業上の利用可能性】
【００１４】  本発明に係る画鋲は、工業的に量産する事が可能であるため、産業上の利用可能性を有する。
【図面の簡単な説明】
【００１５】
【図１】  画鋲の側面図である。
【図２】  画鋲の針につけた突起の部分の断面図である。（Ａ−Ａ断面）
【図３】  画鋲の柄の部分の平面図。
【図４】  画鋲を刺し込んだ（図３の状態）後、９０°回転して固定した状態の針につけた突起の部分の断面図。
【符号の説明】
【００１６】  １      画鋲の針。
２      画鋲の針につけた突起。
３      画鋲の柄の上部。
４      画鋲の柄の中央部。
５      画鋲の柄の下部。
６      画鋲を９０°回転して固定する前の針の突起の位置。
７      壁面などの面。
【図１】
2006327169.tif 000003
【図２】
2006327169.tif 000004
【図３】
2006327169.tif 000005
【図４】
2006327169.tif 000006
(57)【要約】    【課題】その底部に水などが溜まることのないように改良された燃料注入口のインレットボックスを提供する。    【解決手段】インレットボックス７の最下底部にドレン口１６を設け、それを車体のインナパネル３の内側に開口させるものとする。特に、インレットボックスに液密に係合する一端とインナパネルに液密に係合する他端とを有するシールラバー１０を設け、シールラバーの内側にドレン口を開口させるものとすると良い。これにより、最下底部から水抜きが行えるので、インレットボックス内に水などが溜まることを皆無にすることができる。【選択図】図１
2006327236.tif 000002
【特許請求の範囲】
【請求項１】
車体のアウタパネルに連なると共にその底面にて燃料注入口の先端部を支持するインレットボックスであって、
当該インレットボックスの最下底部にドレン口が設けられ、該ドレン口の開口が、車体のインナパネルの内側を臨んでいることを特徴とする燃料注入口のインレットボックス。
【請求項２】
当該インレットボックスに液密に係合する一端と前記インナパネルに液密に係合する他端とを有する筒状のシールラバーが設けられ、前記ドレン口が、前記シールラバーの内側に開口することを特徴とする請求項１に記載の燃料注入口のインレットボックス。
【発明の詳細な説明】
【技術分野】
【０００１】
本発明は、車体に形成された開口に、燃料注入口を支持するために設けられるインレットボックスに関するものである。
【背景技術】
【０００２】
乗用車の燃料注入口は、一般に、車体のアウタパネルの外面から窪められたインレットボックスの底面に開口している（特許文献１を参照されたい）。
【特許文献１】特開平８−４００９２号公報
【発明の開示】
【発明が解決しようとする課題】
【０００３】
この従来の構造によると、インレットボックスの開口面を塞ぐリッドの隙間から、洗車水や雨水が浸入すると、それがインレットボックス内に溜まることがあった。
【０００４】
本発明は、このような従来技術の不都合を解消すべく案出されたものであり、その主な目的は、その底部に水などが溜まることのないように改良された燃料注入口のインレットボックスを提供することにある。
【課題を解決するための手段】
【０００５】
このような課題を解決するため、本発明は、インレットボックス７の最下底部にドレン口１６を設け、それを車体のインナパネル３の内側に開口させるものとした（請求項１）。特に、インレットボックスに液密に係合する一端とインナパネルに液密に係合する他端とを有する筒状のシールラバー１０を設け、シールラバーの内側にドレン口を開口させるもの（請求項２）とすると良い。
【発明の効果】
【０００６】
このようにすれば、最下底部から水抜きが行えるので、インレットボックス内に水などが溜まることを皆無にすることができる。
【発明を実施するための最良の形態】
【０００７】
以下に添付の図面を参照して本発明について詳細に説明する。
【０００８】
図１は、本発明が適用された燃料注入口用インレットボックスの車体に対する取付部の縦断面図である。燃料タンク（図示せず）から延出されたフィラーパイプ１は、フィラーキャップ２で閉じられるその先端が、車体のインナパネル３に形成された開口４を経て、車体のアウタパネル５に形成された開口６に結合されたインレットボックス７内に突入している。
【０００９】
インレットボックス７は、概ね筒状をなし、車体アウタパネル５に形成された開口６の内周縁部に、その一端のフランジ８を接合している。そしてアウタパネル５の開口６には、開閉自在なリッド９が設けられている。
【００１０】
フィラーパイプ１の先端側の周囲には、概ね筒状をなすシールラバー１０が配設されている。このシールラバー１０は、インレットボックス７の内端に形成された円形をなす開口１１の内周縁に、その外端に形成された環状溝１２が液密に係合すると共に、車体インナパネル３に形成された円形をなす開口４の内周縁に、その内端に形成された環状溝１３が液密に係合している。
【００１１】
シールラバー１０の外端側の内周部には、インレットボックス７の開口１１に係合した環状溝１２と同心をなす円形孔１４が形成されており、この円形孔１４の内周縁が、フィラーパイプ１の先端部外周面に形成された環状溝１５に液密に係合している。
【００１２】
この構造により、フィラーパイプ１の先端部は、シールラバー１０との接続によってその軸方向の変位が幾分か許容されると共に、その周囲からの液漏れが防止される。これと同時に、インレットボックス７と車体インナパネル３との間の製造誤差及び組付誤差が吸収されると共に、これらの接続部への液漏れが防止される。
【００１３】
インレットボックス７の内端側における車体アウタパネル５に結合した状態で最下底となる位置には、短管状をなすドレン口１６が突設されている。このドレン口１６は、シールラバー１０の外端面におけるインレットボックス７の開口１１の内周縁に係合した環状溝１２の一部に隣接する位置に形成された貫通孔１７に突入しており、その先端を車体インナパネル３の内側に臨ませている。
【００１４】
これにより、インレットボックス７内に水などが浸入しても、ドレン口１６から車体インナパネル３の内側の例えばホイールハウスの内側などに排出されるので、インレットボックス７内に水などが滞留することが防止される。なお、ドレン口１６をホース接続口として構成し、適宜な可撓性ホースを接続可能なようにしておけば、任意の位置にドレンを導くことができる。
【図面の簡単な説明】
【００１５】
【図１】本発明が適用された燃料注入口回りの縦断面図である。
【符号の説明】
【００１６】
１  フィラーパイプ
３  インナパネル
７  インレットボックス
１０  シールラバー
１６  ドレン口
【図１】
2006327236.tif 000003
(57)【要約】【課題】  運転手は安全確認のためドアミラー、ルームミラーを使用して左右後方の安全確認を行っていた。ドアミラー、ルームミラーは、運転手より離れた場所にあり、また、安全確認の際、目、頭を大きく動かさないと確認できず、また、前方への安全がおろそかになる。  撮影画像を切替えて表示するようにした場合でも、全体の画像が表示されていないため、後方を見ているとき前方がおろそかになる心配があった。【解決手段】  本発明の表示装置は、ドアミラー、ルームミラーの映像を一つの表示装置に集めた。【選択図】  図１
2006327263.tif 000002
【特許請求の範囲】
【請求項１】
移動体の進行方向に表示部を設け、１つあるいは複数の背後または他の方向の映像を表示することを特徴とする表示装置。
【発明の詳細な説明】
【技術分野】
【０００１】
本発明は、自動車等、移動体内のドアミラー、ルームミラーの映像の表示に関するものである。
【背景技術】
【０００２】
従来技術では、運転手は安全確認のためドアミラー、ルームミラーを使用して左右後方の安全確認を行っていた。ドアミラー、ルームミラーは、運転手より離れた場所にあり、また、安全確認の際、目、頭を大きく動かさないと確認できず、また、前方への安全がおろそかになるという問題点があった。
この問題を解決するため、例えば、特許文献１のように、撮影画像を切替えて表示するようにした技術もある。しかし、全体の画像が表示されていないため、後方を見ているとき前方がおろそかになる心配があった。
【特許文献１】特開２００２−４６５３２号公報
【発明の開示】
【発明が解決しようとする課題】
【０００３】
本発明の目的は、従来技術の問題点である安全確認の際、目、頭を大きく動かさないと確認できず、また、前方への安全がおろそかになる問題を解決し、目、頭を大きく動かさずに確認できる表示装置を提供することにある。
【課題を解決するための手段】
【０００４】
上記の目的を達成するため、本発明の表示装置は、移動体の進行方向に表示部を設け、１つあるいは複数の背後または他の方向の映像を表示するものである。
また本発明の表示装置は、自動車に適用した場合は、ドアミラー、ルームミラーの映像を一つの表示装置に集めたものである。
【発明の効果】
【０００５】
本発明によれば、安全確認の際、目、頭を大きく動かさないと確認できず、また、前方への安全がおろそかになるという、従来の問題点を解決できるので、交通事故の減少につながる。
【発明を実施するための最良の形態】
【０００６】
図１は、本発明の自動車 11 に取り付けるカメラの配置の一実施例を示す図である。右ドアミラーカメラ 13 、左ドアミラーカメラ 14 、及びルームミラーカメラ 15 は、車両（自動車 11 ）の後方の映像を撮影する。なお、矢印 12 は、自動車 11 の前方進行方向を示す。
【０００７】
図２及び図３によって、本発明の表示例を説明する。図２及び図３は、どちらも、本発明の一実施例の表示画像を説明する図である。
図１に示すようなカメラ（右ドアミラーカメラ 13 、左ドアミラーカメラ 14 、及びルームミラーカメラ 15 ）が撮影した映像は、図示しない通信手段及び画像処理手段によって、表示装置に出力され、表示装置の表示画面 21 または 21′に、図２または図３のように表示される。図２及び図３において、右ドアミラーカメラ 13 が撮影した映像は、右ドアミラー映像 23 または 23′として表示され、左ドアミラーカメラ 14 が撮影した映像は、左ドアミラー映像 24 または 24′として表示され、ルームミラーカメラ 15 が撮影した映像は、ルームミラー映像 25 または 25′として表示される。
【０００８】
図４によって、表示装置の設置の一例を示す。図４は、図２または図３のような映像を表示した表示画面 31 の表示装置 32 を、操縦者がフロントガラス部 33 に視線を向けたとき同時に視野内に入るハンドル部 34 付近に設置した例である。
【０００９】
図５によって、表示装置の設置の他の一例を示す。図５は、例えば図２または図３のような映像を表示した表示画面 31′の表示装置 32′を、操縦者がフロントガラス部 33 に視線を向けたとき同時に視野内に入るハンドル部 34 付近に設置した例である。
【００１０】
図５においては、別の実施例として、フロントガラス部の操縦席側に設置した表示装置から、表示した映像をフロントガラスに投射することであっても良い。
【００１１】
また、図４または図５の表示画面の形が、図２または図３の表示画面と一致していないように描画されている。しかし、実際の場合には、図２または図３表示画面の形に応じて、図４または図５の表示画面の形が相似形となる。
【００１２】
また、上記の実施例では、右ドアミラーカメラ、左ドアミラーカメラ、及びルームミラーカメラの３つの撮像装置で撮像し、表示装置に表示された映像もそれだけであるが、それ以外の部分にカメラを設けて、それらのカメラのすべてまたは所望の映像を選択して表示しても良いことは自明である。
また、撮像装置の種類、視野角、あるいは解像度等の性能が、それぞれ異なっても良い。
【００１３】
上述の実施例では、自動車で説明した。しかし、自動車のほか、船舶、航空機等、他の移動物体であっても良い。
即ち、移動体の操縦者が移動中は常に向いている必要がある方向、即ち進行方向に表示部を設け、１つあるいは複数の背後または他の方向の映像を表示することによって、他の方向の映像を見ることができ、安全に操縦ができる。
【００１４】
以上のように、上記実施例によれば、問題点であった安全確認の際、目、頭を大きく動かさないと確認できず、また、前方への安全がおろそかになるという問題を解決し交通事故の減少につながる。
【図面の簡単な説明】
【００１５】
【図１】本発明の自動車に取り付けるカメラの配置の一実施例を示す図。
【図２】本発明の一実施例の表示画像を説明する図。
【図３】本発明の一実施例の表示画像を説明する図。
【図４】本発明の表示装置を設置した一実施例を説明するための図。
【図５】本発明の表示装置を設置した一実施例を説明するための図。
【符号の説明】
【００１６】
11：自動車、  12：矢印、  13：右ドアミラーカメラ、  14：左ドアミラーカメラ、  15：ルームミラーカメラ、  21，21′：表示画面、  23，23′：右ドアミラーカメラが撮影した映像、  24，24′：左ドアミラーカメラが撮影した映像、  25，25′：ルームミラーカメラが撮影した映像、  31，31′：表示画面、  32，32′：表示装置、  33：フロントガラス部、  34：ハンドル部。
【図１】
2006327263.tif 000003
【図２】
2006327263.tif 000004
【図３】
2006327263.tif 000005
【図４】
2006327263.tif 000006
【図５】
2006327263.tif 000007
(57)【要約】【課題】自車両付近の人間やガードレールなどの障害物を検知して運転者にその情報を知らせる車両用ソナーシステムは既に広く知られている。しかし、従来のソナーシステムでは障害物までの正確な距離を運転者は知ることができない。【解決手段】障害物までの距離をデジタルで運転者に知らせるようにする。情報伝達の方法としては、視覚と聴覚の２種類に分類することができる。視覚情報としては、モニタに従来の警告情報と共にデジタル表示で障害物までの距離を表示する。聴覚の情報としてはスピーカから合成音で詳しい距離情報を運転者に知らせる。【選択図】図１
2006327330.tif 000002
【特許請求の範囲】
【請求項１】
自動車に少なくとも１ヶ以上設置した超音波素子からその周辺に超音波を発射し、その反射波から自動車周辺の障害物を検知するソナーシステムにおいて、超音波素子から障害物までの距離を数値表示するとともに音声で告知することを特徴とするソナーシステム
【請求項２】
音声による告知が開始する距離を運転者が任意に設定可能であり、設定距離以下の場合のみ音声告知を開始することを特徴とした請求項１記載の装置
【請求項３】
数値表示装置はデジタル時計と共用し、ギアーをバックに入れた場合のみ時計モードからソナーモードに切り替わることを特徴とした請求項１記載の装置
【請求項４】
音声発音手段はオーディオ機器と共用し、ギアーをバックに入れた時のみオーディオ機器からソナー用発音体に切り替わることを特徴とした請求項１記載の装置
【発明の詳細な説明】
【技術分野】
【０００１】
この発明は、人間やガードレールなど車両周辺の障害物を運転者に知らせる車両用ソナーシステムに関する。
【背景技術】
【０００２】
従来の車両用ソナーシステムは図５に示すようなものである。車両用ソナーシステムでは、運転者の死角になりやすい場所に超音波素子５が設置されている。超音波素子５は複数個設置されている場合もある。障害物を超音波素子５が検知した場合、制御部６で障害物までの距離が算出され、ビデオ信号処理部７と音声合成部９に伝わる。ビデオ信号処理部７で制御された信号はモニタ８に出力される。
【０００３】
図４は実際にモニタ８に表示される内容を示したものである。モニタ８には自車両のイラスト２と警報マーク３が表示される。警報マーク３は２０ｃｍ〜５０ｃｍ単位で変化するので、運転者は障害物までの大まかな距離を認識することができる。また、運転者は自車両のイラスト２と警報マーク３との位置関係により自車両のどの位置に障害物があるのか認識することができる。
【０００４】
音声合成部９で制御された信号はスピーカ１０に出力される。自車両の真後ろと左側後方に障害物を検知した場合「真後ろと左側後方に障害物を検出しました」という音声がスピーカ１０から出力される。
【特許文献１】特開２００３−１４１６９３号公報
【発明の開示】
【発明が解決しようとする課題】
【０００５】
しかしながら、以上の技術によれば、障害物までの具体的な距離を運転者は認識することができない。また、モニタに表示される警報情報は障害物までの距離により３段階にわかれているが、その３段階がそれぞれどの距離に対応しているのか容易には理解できない。
そこで、この発明は、障害物までの距離を運転者に正確に伝達することができるソナーシステムを安価に提供することを課題とする。
【課題を解決するための手段】
【０００６】
以上の課題を解決するために、請求項１記載の装置は、自動車に少なくとも１ヶ以上設置した超音波素子からその周辺に超音波を発射し、その反射波から自動車周辺の障害物を検知するソナーシステムにおいて、超音波素子から障害物までの距離を数値表示するとともに音声で告知するものである。
音声による告知が開始する距離を運転者が任意に設定可能であり、設定距離以下の場合のみ音声告知を開始する。また、数値表示装置はデジタル時計と共用し、ギアーをバックに入れた場合のみ時計モードからソナーモードに切り替わり、音声発音手段はオーディオ機器と共用し、ギアーをバックに入れた時のみオーディオ機器からソナー用発音体に切り替わる。
【発明の効果】
【０００７】
本発明によるソナーシステムでは、運転者は目と耳の両方から情報が得られ、更に専用の表示装置や発音体を用意する必要がないので、安価でコンパクトなシステムを提供可能である。
【発明を実施するための最良の形態】
【０００８】
この発明の一実施形態を、図１の記載に基づき説明する。
超音波素子は、制御部からの信号により一瞬超音波を発振した後に休止し、障害物からの発射波を待ち、発振の終了から発射波の受信までの時間に空気中での超音波の伝搬速度を乗じ、障害物までの距離とし、その計算を制御部にて実行した結果を表示部及び発音体に出力し、距離に応じた内容を表示又は発音する。
また、自動車のバック以外の時は表示部は時計として、発音体はオーディオ機器として機能しており、自動車のギアボックスからの信号により、バックの時のみソナーシステム用として供されるのでスペース、価格面より有利である。
【０００９】
「他の実施形態」
図１の実地形態では、障害物を検知している超音波素子が一つだけであるが、図２の実施形態では、複数の超音波素子が障害物を検知している。この場合でも障害物までの距離がデジタル表示される。また、この表示と共に警告アナウンスが出力され運転者に注意を促す。
【図面の簡単な説明】
【００１０】
【図１】本発明の実施形態を示す図である。
【図２】従来技術を示す図である。
【図３】従来技術のシステムを示す概略図である。
【図１】
2006327330.tif 000003
【図２】
2006327330.tif 000004
【図３】
2006327330.tif 000005
(57)【要約】【課題】画素毎に透過領域と反射領域を備えた表示装置において反射表示時に明るい表示画面が得られるようにする。【解決手段】表示画面をメイン画面１とサブ画面２とに分割し、カラー表示をあまり必要としないサブ画面２において、各画素における反射領域１１での着色層面積の画素面積に対する割合を、メイン画面１の各画素における着色層面積の画素面積に対する割合よりも少なくし、サブ画面２で着色層の割合が少ない分だけ高い反射率が得られるようにする。【選択図】図２
2006003672.tif 000002
【特許請求の範囲】
【請求項１】
画素毎に着色層を備えたメイン画面と、
画素毎に反射領域と透過領域の双方を備えたサブ画面と、
サブ画面に画素毎に設けられた着色層と、を備え、
サブ画面の各画素における反射領域での着色層面積の画素面積に対する割合をメイン画面の各画素における着色層面積の画素面積に対する割合よりも少なくしたことを特徴とする表示装置。
【請求項２】
サブ画面の各画素における反射領域から着色層を排除したことを特徴とする請求項１記載の表示装置。
【発明の詳細な説明】
【技術分野】
【０００１】
本発明は、表示画面に透過領域と反射領域を備えた表示装置に関する。
【背景技術】
【０００２】
薄型、軽量の表示装置は、ワープロやパーソナルコンピュータ、テレビ、モニター、ＰＤＡ（Personal Digital Asistants）、携帯電話などに広く利用されるようになってきている。
【０００３】
特に、画素毎に薄膜トランジスタ（Thin Film Transistor:TFT）を備えた液晶表示装置は、薄型化、軽量化、低消費電力化が容易なことから開発が盛んである。
【０００４】
ＰＤＡ、携帯電話などの移動端末に使用される液晶表示装置には、更なる低消費電力化が求められている。低消費電力化を実現する表示装置として、バックライト装置の消費電力を減らすために、外光を表示に用いるようにした反射方式や、バックライトからの光と外光とを切り換えて利用するようにした半透過方式が用いられるようになってきている（特許文献１参照）。特に、画素内に反射領域と透過領域の双方を備えた半透過型の表示装置の開発が進んでいる。
【０００５】
ところで、カラー表示を行なう表示装置では、各画素は、着色層により赤色（Ｒ）、緑色（Ｇ）、青色（Ｂ）のいずれかの着色が施される。画素内に反射領域と透過領域を備えた半透過型の表示装置では、反射領域と透過領域の双方に着色層が配置される。
【特許文献１】特開２００２−３０３８６３号公報
【発明の開示】
【発明が解決しようとする課題】
【０００６】
しかしながら、このように反射領域に着色層が配置されると、反射率が低くなり、反射表示時に表示画面が暗くなるおそれがある。
【０００７】
本発明は、上記に鑑みてなされたものであり、その目的とするところは、画素毎に反射領域と透過領域を備え、反射表示時に明るい表示画面が得られるようにした表示装置を提供することにある。
【課題を解決するための手段】
【０００８】
第１の本発明に係る表示装置は、画素毎に着色層を備えたメイン画面と、画素毎に反射領域と透過領域の双方を備えたサブ画面と、サブ画面に画素毎に設けられた着色層と、を備え、サブ画面の各画素における反射領域での着色層面積の画素面積に対する割合をメイン画面の各画素における着色層面積の画素面積に対する割合よりも少なくしたことを特徴とする。
【０００９】
本発明にあっては、カラー表示をあまり必要としないサブ画面において、各画素における反射領域での着色層面積の画素面積に対する割合をメイン画面の各画素における着色層面積の画素面積に対する割合よりも少なくしたことで、サブ画面で着色層の割合が少ない分だけ反射表示時に高い反射率が得られるようにしている。
【００１０】
第２の本発明に係る表示装置は、サブ画面の各画素における反射領域から着色層を排除したことを特徴とする。
【００１１】
本発明にあっては、サブ画面の反射領域から着色層を排除したことで、反射領域における光の反射率を最大にしている。
【発明の効果】
【００１２】
本発明に係る表示装置によれば、反射表示時においても明るい表示画面を得ることができる。
【発明を実施するための最良の形態】
【００１３】
以下、本発明の実施の形態について図面を用いて説明する。
【００１４】
図１は、一実施形態の表示装置における表示画面の構成を示す図である。同図の表示画面は、メイン画面１とサブ画面２を有する構成である。ここでは、メイン画面１とサブ画面２は、各画素が反射領域と透過領域の双方を備えた半透過型とする。なお、メイン画面１については、各画素が透過領域だけを備えた透過型としてもよい。
【００１５】
ここでは、例えば携帯電話の表示画面を想定する。すなわち、サブ画面２は、電波の受信状態や電池の残存量を示すだけのカラー表示をあまり必要としない画面とする。
【００１６】
図２は、サブ画面２の構成を示す拡大平面図であり、図３はメイン画面１の構成を示す拡大平面図である。メイン画面１とサブ画面２における各画素は、表示装置の表面から入射した外光を反射する反射電極を備えた反射領域１１と、表示装置の背面に配置されたバックライトからの光を透過する透過電極を備えた透過領域１２を備える。
【００１７】
そして、メイン画面１の各画素では、反射領域１１と透過領域１２の双方が、赤色（Ｒ）の着色層１４ａ、緑色（Ｇ）の着色層１４ｂ、青色（Ｂ）の着色層１４ｃのいずれかの着色層によって着色される。
【００１８】
一方、サブ画面２の各画素では、反射領域１１での着色層面積の画素面積に対する割合が、メイン画面１の各画素における着色層面積の画素面積に対する割合よりも少なくなっている。より具体的には、図２の例では、サブ画面２の各画素では、赤色の着色層１３ａ、緑色の着色層１３ｂ、青色の着色層１３ｃのいずれかが透過領域１２にだけ配置され、反射領域１１からは着色層が除去されている。
【００１９】
したがって、本実施の形態によれば、表示画面をメイン画面１とサブ画面２とに分割し、カラー表示をあまり必要としないサブ画面２において、各画素における反射領域１１での着色層面積の画素面積に対する割合をメイン画面１の各画素における着色層面積の画素面積に対する割合よりも少なくしたことで、サブ画面２で着色層の割合が少ない分だけ高い反射率が得られるので、サブ画面２では反射表示時に明るい画面を得ることができる。
【００２０】
特に、サブ画面２において反射領域１１から着色層を除去したことで、反射領域１１における光の反射率が最大になるので、サブ画面２では反射表示時に明るい画面を得ることができる。
【図面の簡単な説明】
【００２１】
【図１】一実施形態の表示装置における表示画面の構成を示す図である。
【図２】上記表示装置におけるサブ画面の構成を示す拡大平面図である。
【図３】上記表示装置におけるメイン画面の構成を示す拡大平面図である。
【符号の説明】
【００２２】
１…メイン画面，２…サブ画面
１１…反射領域，１２…透過領域
１３ａ，１３ｂ，１３ｃ…着色層
１４ａ，１４ｂ，１４ｃ…着色層
【図１】
2006003672.tif 000003
【図２】
2006003672.tif 000004
【図３】
2006003672.tif 000005
(57)【要約】【課題】  人体臓器の立体造影を作成して，教育現場，医師の診断・治療，卒後教育および施設の医療の質向上，インフォームド・コンセントの質的向上，市民への啓蒙などに活用する。【解決手段】  本発明は上の課題を解決するためになされたものであり，図１のように体内の様子を立体映像としてコンピュータの画面上に表示し，それを用いて説明することによって，体内の臓器の様子を理解させることができるようにする。  また本発明は体内の臓器の特定の位置を指定すると，その附近の数枚のＣＴ画像をスライス画像として表示し，並んでいる数枚のＣＴ画像のうち，いずれかをクリックすると，その画像を画面いっぱいに大きく表示する。  さらに，本発明は体内の臓器の立体造影およびスライス画像をイントラネットやインターネットのウェブ上で見られるようにしたり，ＣＤ−ＲＯＭ等で独立して利用することもできる。【選択図】      図１
2006003856.tif 000002
【特許請求の範囲】
【請求項１】
体内の様子を立体造影としてコンピュータの画面上に表示し，いろんな角度から見たり，特定部位を拡大して見えるようにし，人体臓器の立体造影を作成して，教育現場，医師の診断・治療，卒後教育および施設の医療の質向上，インフォームド・コンセントの質的向上，市民への啓蒙などに活用するツールを提供する。
【請求項２】
体内の臓器の特定の位置を指定すると，その附近の数枚のＣＴ画像をスライス画像として表示したり，拡大表示するツールを提供する。
【請求項３】
体内の臓器の立体造影およびスライス画像をイントラネットやインターネットのウェブ上で見られるようにし，またＣＤ−ＲＯＭ等で利用できるツールを提供する。
【発明の詳細な説明】
【技術分野】
【０００１】  この発明は，体内の様子を立体造影としてコンピュータの画面上に表示し，いろんな角度から見たり，特定部位を拡大して見えるようにして，インフォームド・コンセントなどのときに有効に用いるツールに関する。
【背景技術】
【０００２】  現在医師が患者に病状をわかりやすく説明するインフォームド・コンセントを行うことが求められているが，このとき，素人の患者に体内の様子を説明するのに，レントゲン写真やＣＴ画像，手書きのイラストなどを用いている。
【発明の開示】
【発明が解決しようとする課題】
【０００３】  レントゲン写真やＣＴ画像，手書きのイラストなどを用いたインフォームド・コンセントでは，素人にはわかりにくいので，立体造影によって理解しやすくする。
【課題を解決するための手段】
【０００４】  本発明は上の課題を解決するためになされたものであり，図１のように人体内の様子を立体造影としてコンピュータの画面上に表示し，それを用いて説明することによって，わかりやすく理解させることができるようになる。【０００５】  また本発明は体内の特定の位置を指定すると，その附近の数枚のＣＴ画像をスライス画像として表示する。【０００６】  また本発明は並んでいる数枚のＣＴ画像のうち，いずれかをクリックすると，その画像を画面いっぱいに大きく表示する。【０００７】  また本発明は体内の臓器の造影およびスライス画像をイントラネットやインターネットのウェブ上で見られるようにしたり，ＣＤ−ＲＯＭ等で独立して利用することもできる。
【発明の効果】
【０００８】  医師が患者やその家族に病状を説明するときに，この立体造影およびスライス画像を用いると，わかりやすく理解させることができるようになり，インフォームド・コンセントの質が向上する。これによってその病院や医院の信頼感や評判を高めることができる。【０００９】  医師は，この立体造影およびスライス画像を用いると，心臓，腎臓，肝臓，膵臓，脳等の容易に内視鏡の入れない領域の疾患診断や，またこれらの臓器機能との関係を診断しやすくなる。【００１０】  このツールにより表示した造影は，若年，成人，老人の男女別健常者と，代表的な疾患の場合の人体のサンプルとして利用することができ，今後の医療の研究・進歩に貢献する。【００１１】  この発明は医師の卒後研修教育や，医師，医師とコメディカルのクリニカルパスに用いることができ，卒後教育および施設の医療の質的向上に寄与する。【００１２】  この発明は，患者の家族や，一般市民の医学知識の向上に資する。これにより市民啓蒙を行える。
【発明を実施するための最良の形態】
【００１３】  本発明は図１に示すようなパソコン上に，イントラネットやインターネットのウェブ上で見られるようにしたり，ＣＤ−ＲＯＭ等で独立して利用できる。
【実施例】
【００１４】  医師が患者やその家族に説明するときに用いる。【００１５】  医師が医療スタッフとカンファレンスを行うときに利用することができる。【００１６】  医師が診断，治療，手術などの計画を立てるときに参照する。医師や，コメディカルの有効で能率的な治療方針（手術法の選択等）の策定，治療効果判定やフォローに用いる。【００１７】  薬剤師，看護師，臨床検査技師，理学療法士，管理栄養士などとのクリニカルパスに用いる。【００１８】  医学生，薬学，看護，臨床検査，診療放射線，理学療法，作業療法，臨床工学，管理栄養，ＭＲ等保健医療系学生，社会福祉系学生に対する解剖学，人体病理学等の教育に用いることができる。【００１９】  一般市民の人体理解のために用いる。
【産業上の利用可能性】
【図面の簡単な説明】
【図１】  臓器の造影をインターネットのウェブ上に表示した画面である。
【符号の説明】
１  臓器の立体造影
２  インターネット上のウィンドウの画面
【図１】
2006003856.tif 000003
(57)【要約】【課題】  デジタル一眼レフカメラなどは撮像素子としてＣＣＤやＣＭＯＳを使用している。レンズ交換時に侵入するゴミはこの撮像素子表面に付着して画像の欠損となる。これは使用者にとって非常に頭の痛いことである。このゴミの除去は従来、無水アルコールを浸み込ませた繊維状の物で拭き取っていたが、拭きムラも出来やすく、熟練者で無ければ難しい作業であった。  そこでこの発明は、熟練者でなくてもＣＣＤ表面の微細なゴミが簡単な作業で完全に除去できる方法を提供することを課題とする。【解決手段】  この発明は通常販売されている粘着テープの形状をしており、必要量を切り取って使用する。このテープの粘着剤は粘着力が弱く、またＣＣＤ表面などに障害を及ぼさず、残留物を残さない。  使用法は、必要量を切り取り、粘着面を外にＵ字形にして保持し、ＣＣＤ表面に軽く押し当て、剥がす動作を繰り返す。ＣＣＤ表面のゴミをこの粘着剤に付着させることで目的を達成する。【選択図】図１
2006003853.tif 000002
【特許請求の範囲】
【請求項１】
光学器械のレンズや撮像素子の表面の微細なゴミを除去するために、その表面を損傷せず、残留物を残さない粘着剤が付いていることを特徴とする清掃のための器具。
【請求項２】
請求項目１の粘着剤をテープに塗布し粘着テープ状に加工したことを特徴とする。
【発明の詳細な説明】
【技術分野】
【０００１】  この発明は、カメラの撮像素子であるＣＣＤなどの表面のゴミの除去に関する。
【背景技術】
【０００２】  レンズ交換の可能なデジタル一眼レフカメラでは、レンズ交換時にゴミなどが侵入し易い。このゴミなどがＣＣＤ表面に付着して画像の欠損が起こった時、ＣＣＤ表面の清掃が必要となる。従来、清掃は無水アルコールなどを浸み込ませた繊維で拭き取ることを日常としていた。
【発明の開示】
【発明が解決しようとする課題】
【０００３】  しかしながら、以上の技術によれば、アルコールの拭きムラも残りやすく、ＣＣＤ表面の小さなゴミはなかなか除去できず、静電気などで再び吸着してしまうことが多い。熟練者でなければ、完全な除去は非常に困難であった。
そこでこの発明は、難しい清掃を簡単に行うための方法を提供することを課題とする。
【課題を解決するための手段】
【０００４】  以上の課題を解決するために、第一発明は、弱い粘着性を持った物質をＣＣＤ表面に押し当て、ゴミをこの物質に付着させてＣＣＤ表面から取り去ることを特徴とする。
また第二発明はこの弱い粘着性を持った物質を、テープ状の物に塗布し、必要量を切り取って使用し、いつも新しい物で清掃出来るようにしたことを特徴とする。
【発明の効果】
【０００５】  第一発明、そして第二発明によれば、ＣＣＤ表面の清掃は、粘着性のある物質を塗布したテープを軽く押し当て、再び剥ぎ取ることでほぼ完全な除去が可能である。
【発明を実施するための最良の形態】
【実施例】
【０００６】  この発明の一実施例を、図１に示す。
この実施例によれば、テープ状の物の表面にこの物質を塗布し、粘着面を内側にして巻いて使用者に提供する。【０００７】  実際の使用時には、必要な長さのテープを切り取り、粘着面を外側にしてＵ字形を作りＣＣＤ表面に押し当て、そして剥がす動作の繰り返しにより清掃をする。
【他の実施例】
【０００８】  図１の実施例では、テープ状の形態で使用することを想定したが、図２のように綿棒のような形態の物に粘着性のある物質を浸透させて使用することも可能である。この方法では、奥まった機械などの内部にある面の清掃にも使いやすくなる。
【図面の簡単な説明】
【０００９】
【図１】この発明の一実施例を示す斜視図である。
【図２】他の実施例を示す斜視図である。
【符号の説明】
【００１０】  １  テープ        ２  粘着剤
３  柄
【図１】
2006003853.tif 000003
【図２】
2006003853.tif 000004
(57)【要約】      （修正有）【課題】カード叉ははがきの一部をスタンドとして利用することができるカード叉ははがきを提供する。【解決手段】  カード叉ははがき１に、ミシン目２と切り込み３、４を入れておく。ミシン目２の入っている部分だけを切り、できた帯５を輪にして切り込み３と４を互いに差し込み後、立てる。カード叉ははがき１を特別な用具が必要無く立てることができる。また、帯５はカード叉ははがき１と部分的に接合しているので帯５が紛失することがない。情報提供者の意図をより手軽に伝えることのできるセルフスタンドカードである。【選択図】図１
2006003848.tif 000002
【特許請求の範囲】
【請求項１】
カード叉ははがき（１）に、ミシン目（２）と切り込み（３）（４）を入れておく。ミシン目（２）の入っている部分だけを切り、できた帯（５）を輪にして切り込み（３）と（４）を互いに差し込んでできるセルフスタンドカード。
【発明の詳細な説明】
【発明の詳細な説明】
【技術分野】
【０００１】この発明は、カード叉ははがきの一部をスタンドとして利用することができるようにし、情報提供者の意図をより手軽に伝えようとするセルフスタンドカードに関するものである。
【背景技術】
【０００２】従来はカード叉ははがきを立てるために特別な用具が必要であった。
【発明が解決しようとする課題】
【０００３】これはつぎのような欠点があった。
従来は、カード叉ははがきのスタンドは本体とは別部品として存在していたため一枚に一セットのスタンドを用意しなければならず煩わしかった。また、その煩わしさにより情報提供者の意図が情報受信者に十分伝わらない可能性があった。
本発明は、以上のような欠点をなくすためになされたものである。
【課題を解決するための手段】
【０００４】カード叉ははがき（１）に、ミシン目（２）と切り込み（３）（４）を入れておく。
ミシン目（２）の入っている部分だけを切り、帯（５）を輪にして切り込み（３）と（４）を互いに差し込む。
本発明は、以上の構成よりなるセルフスタンドカードである。
【発明を実施するための最良の形態】
【０００５】以下、本発明の実施の形態について説明する。
カード叉ははがき（１）に、ミシン目（２）と切り込み（３）（４）を設ける。
ミシン目（２）の入っている部分だけを切る。
ミシン目（２）に沿って切られてできた帯（５）を輪にする。
切り込み（３）と（４）を差し込む。
本発明は、以上のような構造でこれをスタンドとし、立てて使用する。
【発明の効果】
【０００６】特別なスタンドがなくても手軽にそして経費をかけずにスタンドが作れる。
スタンドになる帯（５）はカード叉ははがきと完全に切り離すわけではないのでスタンドが紛失することがない。
帯（５）の形状を変えることにより無限のデザインが臨める。
【図面の簡単な説明】
【図１】本発明の表面図である。
【図２】本発明の組立図である。
【符号の説明】
１    カード叉ははがき
２    ミシン目
３    切り込み
４    切り込み
５    帯
【図１】
2006003848.tif 000003
【図２】
2006003848.tif 000004
(57)【要約】【課題】  従来の光スイッチの中で波長選択性を有するものは、スイッチング速度が遅く、将来の光パケット通信・交換への応用に対しては、十分な性能ではない。【解決手段】  ナノ秒オーダー以下の高速な動作が可能な波長選択性を有する光増幅器と、光方向性結合器とを組み合わせ、従来よりも高速に動作する波長選択性を有する光スイッチを構成した。これにより、入力波長多重光の中から任意の波長の光だけを選択的に、また高速にスイッチすることが可能となる。【選択図】    図１
2006003849.tif 000002
【特許請求の範囲】
【請求項１】
波長選択性を有する光増幅器と、３ｄＢ光方向性結合器とを備えた波長選択性を有する全光型の光スイッチ。
【発明の詳細な説明】
【発明の詳細な説明】
【技術分野】
【０００１】  本発明は、光通信・交換および光信号処理の分野において重要なデバイスである光スイッチに関する。
【背景技術】
【０００２】  従来の光スイッチの中で波長選択性を有するものは、スイッチング速度が遅く、将来の光パケット通信・交換への応用に対しては、十分な性能ではないことが知られている。
【発明が解決しようとする課題】
【０００３】  波長選択性を有する光スイッチのスイッチング速度が遅い。
【課題を解決するための手段】
【０００４】  本発明は、高速な動作が可能な波長選択性を有する光増幅器と、３ｄＢ光方向性結合器とを組み合わせた、波長選択性を有する光スイッチを構成することにより、上記課題を解決しようとするものである。
【発明を実施するための最良の形態】
【０００５】  本発明の光スイッチは、図１に示されるように、光導波路、波長選択性を有する光増幅器の一種である導波路型ラマン増幅器、および３ｄＢ光方向性結合器を接続したものである。【０００６】  導波路型ラマン増幅器は、励起光を入射することにより、入力波長多重光の中から、任意の波長の光だけを選択的に増幅する機能を有する。また、このときの増幅の応答速度は、ナノ秒オーダー以下である。【０００７】  ３ｄＢ光方向性結合器は、入力光をパワーの等しい２つの光に分割して出力する機能を有する。このとき、２つの出力光は互いに９０°の位相差がつくことになる。【０００８】  次に動作について説明する。図２に示すように、本発明の光スイッチの構成要素である導波路型ラマン増幅器に対し、励起光を全く入射しない場合、図２の左側から入力された波長多重信号は、すべて図２の右上の出力端に出力される。一方図３に示すように、導波路型ラマン増幅器に適切な光強度・光波長を持った励起光を入射し、その増幅率を約１０．６ｄＢと設定した場合、入力波長多重光の中から、励起光波長に対応する波長の光だけが、図３の右下の出力端に増幅されて出力される。これにより、入力波長多重光の中から任意の波長の光だけを選択的にスイッチすることが可能となる。さらに、導波路型ラマン増幅器がナノ秒オーダー以下で動作することから、このスイッチ動作もナノ秒オーダー以下で動作する。【０００９】  図１においては、導波路型ラマン増幅器を３つ、３ｄＢ光方向性結合器を４つ接続している。本発明で提供する光スイッチは、図１の構成だけでなく、２つの素子の数を変更しても同様に動作する。例えば、導波路型ラマン増幅器を５つ、３ｄＢ光方向性結合器を６つ接続した場合、各導波路型ラマン増幅器における増幅率を約１１．４ｄＢとすれば、上記と同様の動作が実現できる。このスイッチング動作は、導波路型ラマン増幅器の素子数を３より多い奇数個にし、３ｄＢ光方向性結合器の数を導波路型ラマン増幅器の素子数よりも１つだけ多い個数にし、各導波路型ラマン増幅器において適切な増幅を行えば可能である。
【実施例】
【００１０】  本発明の光スイッチは、波長選択的なスイッチ動作が要求される光通信・信号処理の分野に対して実施されれば、大きな効果が期待できる。光通信・信号処理を具体的に挙げると、光ルーティング、光波長フィルタリング、光クロスコネクト、光分岐挿入器などである。
【発明の効果】
【００１１】  以上のように、請求項１記載の発明によれば、従来の波長選択性のある光スイッチに比べ、より高速な動作が可能な波長選択性のある光スイッチを構成することができる。従来の光スイッチが適用されている部分を本発明で置き換えれば、より高速な光通信・信号処理が可能である。
【図面の簡単な説明】
【図１】本発明で提供する波長選択性のある光スイッチの構成を示す図である。
【図２】励起光を入射しない場合の本発明の光スイッチの動作を示す図である。
【図３】励起光を入射した場合の本発明の光スイッチの動作を示す図である。
【符号の説明】
１・・・導波路型ラマン増幅器
２・・・３ｄＢ光方向性結合器
３・・・光導波路
４・・・入力端
５・・・出力端
【図１】
2006003849.tif 000003
【図２】
2006003849.tif 000004
【図３】
2006003849.tif 000005